(57)【要約】      （修正有）【課題】同一の断面形状を有する単一部材により本体が形成され、折り畳んでラックに収容したり、取り出したりすることが容易であるとともに、キット化して自ら組立てて、好みの色に着色することが容易な折畳椅子及び折畳椅子のキットを提供する。【解決手段】同一の断面形状を有する直線状の単一部材により主要部が形成され、閉脚時に該主要部が面一に折畳まれる折畳椅子であって、前方脚部１０Ａを構成し、かんぬきを挿入する貫通孔が２カ所に形成された一対の第１部材１と、後方脚部１０Ｂを構成し、第１部材に形成された貫通孔それぞれの中間に回動自在に軸支される一対の第２部材２と、腰掛部１０Ｃを構成し、後部と前部との間にかんぬきを挿入する複数の貫通孔が形成され、第２部材それぞれに後部が回動自在に軸支された第３部材３と、を備え、閉脚時に引き抜いたかんぬきを、開脚時とは異なる貫通孔それぞれに差し込むことで面一に折畳む。【選択図】図１
0003193251.tif 000002
【実用新案登録請求の範囲】
【請求項１】
同一の断面形状を有する直線状の単一部材により主要部が形成され、閉脚したときに該主要部が面一に折畳まれる折畳椅子であって、
前方脚部を構成し、かんぬきを挿入する貫通孔が２カ所に形成された一対の第１部材と、
後方脚部を構成し、前記第１部材に形成された前記貫通孔それぞれの中間に回動自在に軸支される一対の第２部材と、
腰掛部を構成し、後部と前部との間に前記かんぬきを挿入する複数の貫通孔が形成され、前記第２部材それぞれに後部が回動自在に軸支された第３部材と、を備え、
閉脚する際に引き抜いた前記かんぬきを、開脚時とは異なる前記貫通孔それぞれに差し込むことにより面一に折畳むことを特徴とする折畳椅子。
【請求項２】
背もたれ部を構成し、前記第１部材相互間に固定される少なくとも１つの第４部材を備え、該第４部材は、折畳んだ際に前記かんぬきで固定された前記第３部材の上端よりも上方に配置されることを特徴とする請求項１記載の折畳椅子。
【請求項３】
前記かんぬきは、金属部材又は前記主要部と同じ部材で形成された丸棒であり、該丸棒の径は、前記貫通孔経よりも小さいことを特徴とする請求項１記載の折畳椅子。
【請求項４】
前記第３部材における前記貫通孔は、少なくとも前部と中間部に１つずつ形成されたものであって、折畳んだ際は前記かんぬきを前部の該貫通孔に差し込み、開脚したときは該かんぬきを中間部の該貫通孔に差し込むことを特徴とする請求項１記載の折畳椅子。
【請求項５】
同一の断面形状を有する直線状の単一部材により形成された主要部相互をボルトとナットで軸支し、椅子の横幅と同寸のかんぬきを抜き差しすることにより組立て分解が自在な折畳椅子キットであって、
端寄り及び中央寄りそれぞれに前記かんぬきを差し込む２つの貫通孔が形成され、該貫通孔それぞれの中間に短尺ボルトを挿入する短尺ボルト孔が形成された一対の第１部材と、
端寄りに前記短尺ボルトと螺合する埋込ナット穴、及び該埋込ナット穴より中央寄りに長尺ボルトを挿入する長尺ボルト孔が形成された一対の第２部材と、
一方の端寄りに前記長尺ボルトを挿入する長尺ボルト孔が形成され、他方の端寄り及び中央部に前記かんぬきを差し込む貫通孔が形成された複数の第３部材と、を備え、
前記第３部材それぞれの前記長尺ボルト孔と前記第２部材それぞれの前記長尺ボルト孔とに挿入された前記長尺ボルトで該第３部材それぞれを軸支した該第２部材それぞれを、前記第１部材それぞれに前記短尺ボルトで軸支して組立て、
開脚したときは、前記第１部材それぞれの前記貫通孔のうちの中央寄りの該貫通孔と前記第３部材それぞれの前記貫通孔のうちの中央部の該貫通孔それぞれに前記かんぬきを差し込んで該第３部材それぞれを水平に保持し、
閉脚して折畳む際は、前記かんぬきを引き抜き、該記第１部材それぞれの該貫通孔のうちの端寄りの該貫通孔と該第３部材それぞれの前記貫通孔のうちの他方の端寄りの該貫通孔それぞれに該かんぬきを差し込んで前記主要部を面一に折畳むことを特徴とする折畳椅子キット。
【請求項６】
組立てた前記第１部材それぞれの上部側の端寄り相互間にビス止めして固定する少なくとも１本の第４部材を備えたことを特徴とする折畳椅子キット。
【考案の詳細な説明】
【技術分野】
【０００１】
本考案は、閉脚したとき、主要部が面一に折畳まれる折畳椅子及びそのキットに関するものである。
【背景技術】
【０００２】
従来から座板を上側に回動させることで、後方フレームが前方フレームの後側に重ねて折り畳む折畳椅子が一般的に知られている（特許文献１など参照）。しかしながら、一般に知られている折畳み椅子は、その全体形状が湾曲して形成されるため、収容するラックや、そのラックを保管する場所が必要である。そこで、折畳んだときに平坦状になり、収納に便利な 折畳椅子が提案されている（特許文献２、特許文献３参照）。
前者は、  座板の後端と背板の下端とをヒンジを介して折曲げ自在に連結し、折畳んだときに座板と脚部とが平坦状に保持されるように構成されている。一方、後者は、前方脚部に設けた長孔に係合する突起体を座板の側面に設け、折り畳むときに、突起体が長孔を摺動することで平坦状に保持されるように構成されている。
【先行技術文献】
【特許文献】
【０００３】
【特許文献１】特開平８−１４０７７５号公報
【特許文献２】特許第３６９２３０３号公報
【特許文献３】特開２０１３−１０６９４５号公報
【考案の概要】
【考案が解決しようとする課題】
【０００４】
しかしながら、特許文献２記載の発明は、構造が複雑でコストが嵩むうえ、折畳んだ椅子の上部が座板と腰板で覆われるため、ラックから取り出しにくいという問題がある。また、特許文献３記載の発明は、折畳んだ椅子の上部に手を差し入れる空間があり、ラックから取り出すのが容易である反面、前方脚部に長孔を設けると共に座板に突起体を設ける必要があるので、単一部材で構成するのが困難である。
本考案は、上記事情に鑑み、同一の断面形状を有する単一部材により本体が形成され、折り畳んでラックに収容したり、取り出したりするのが容易であるとともに、キット化して自ら組立て、好みの色に着色することも可能な折畳椅子及び折畳椅子のキットを提供することを目的とする。
【課題を解決するための手段】
【０００５】
本考案の折畳椅子は、同一の断面形状を有する直線状の単一部材により主要部が形成され、閉脚したときに該主要部が面一に折畳まれる折畳椅子であって、前方脚部を構成し、かんぬきを挿入する貫通孔が２カ所に形成された一対の第１部材と、後方脚部を構成し、上記第１部材に形成された上記貫通孔それぞれの中間に回動自在に軸支される一対の第２部材と、腰掛部を構成し、後部と前部との間に上記かんぬきを挿入する複数の貫通孔が形成され、上記第２部材それぞれに後部が回動自在に軸支された第３部材と、を備え、閉脚する際に引き抜いた上記かんぬきを、開脚時とは異なる上記貫通孔それぞれに差し込むことにより面一に折畳むことを特徴とする。
その場合、背もたれ部を構成し、上記第１部材相互間に固定される少なくとも１つの第４部材を備え、該第４部材は、折畳んだ際に上記かんぬきで固定された上記第３部材の上端よりも上方に配置することができる。また、上記かんぬきは、金属部材又は上記主要部と同じ部材で形成された丸棒であり、該丸棒の径は、上記貫通孔経よりも小さく、上記第３部材における上記貫通孔は、少なくとも前部と中間部に１つずつ形成されたものであって、折畳んだ際は上記かんぬきを前部の該貫通孔に差し込み、開脚したときは該かんぬきを中間部の該貫通孔に差し込むことによって目的を達成することができる。
このように、主要部が同一の断面形状を有する直線状の単一部材により形成されているので間伐材などを用いて安価に簡単に作成できる。また、前方脚部と腰かけ部それぞれに複数設けられた貫通孔の何れかにかんぬきを抜き差しし、閉脚したときには主要部が面一に折畳まれるので、狭いスペースに収納することや、そこから取り出すことが容易にできる。
【０００６】
本考案の折畳椅子キットは、同一の断面形状を有する直線状の単一部材により形成された主要部相互をボルトとナットで軸支し、椅子の横幅と同寸のかんぬきを抜き差しすることにより組立て分解が自在な折畳椅子キットであって、端寄り及び中央寄りそれぞれに上記かんぬきを差し込む２つの貫通孔が形成され、該貫通孔それぞれの中間に短尺ボルトを挿入する短尺ボルト孔が形成された一対の第１部材と、端寄りに上記短尺ボルトと螺合する埋込ナット穴、及び該埋込ナット穴より中央寄りに長尺ボルトを挿入する長尺ボルト孔が形成された一対の第２部材と、一方の端寄りに上記長尺ボルトを挿入する長尺ボルト孔が形成され、他方の端寄り及び中央部に上記かんぬきを差し込む貫通孔が形成された複数の第３部材と、を備え、上記第３部材それぞれの上記長尺ボルト孔と上記第２部材それぞれの上記長尺ボルト孔とに挿入された上記長尺ボルトで該第３部材それぞれを軸支した該第２部材それぞれを、上記第１部材それぞれに上記短尺ボルトで軸支して組立て、開脚したときは、上記第１部材それぞれの上記貫通孔のうちの中央寄りの該貫通孔と上記第３部材それぞれの上記貫通孔のうちの中央部の該貫通孔それぞれに上記かんぬきを差し込んで該第３部材それぞれを水平に保持し、閉脚して折畳む際は、上記かんぬきを引き抜き、該記第１部材それぞれの該貫通孔のうちの端寄りの該貫通孔と該第３部材それぞれの前記貫通孔のうちの他方の端寄りの該貫通孔それぞれに該かんぬきを差し込んで前記主要部を面一に折畳むことを特徴とする。その場合、組立てた前記第１部材それぞれの上部側の端寄り相互間にビス止めして固定する少なくとも１本の第４部材を備えれば、背もたれ部を設けることができる。
このように、同一の断面形状を有する直線状の単一部材で形成された主要部相互をボルトとナットで軸支し、主要部に複数設けた貫通孔にかんぬきを抜き差しするだけで簡単に開脚したり、閉脚して折畳む折畳椅子を構成することができるので、間伐材などを活用することにより安価で、簡単に組立・分解可能な折畳椅子キットを作成できる。
【考案の効果】
【０００７】
本考案の折畳椅子及び折畳椅子のキットによれば、腰かけ部と前方脚部にかんぬきを抜き差しするだけで開脚したり、閉脚したりできるので、ヒンジ等の部品を不要とすることができる。また、長尺ボルトとクリップナット、あるいは短尺ボルトと埋込ナットを用いて主要部を軸支すればよいので、組立てのみならず分解も容易に行うことができる。さらに、同一の断面形状を有する木材やプラスチック等の直線状の単一部材により主要部が形成されているので、間伐材等を使用すれば資源の有効活用が図れるほか、色々な寸法や色彩の折畳椅子を簡単に作成することができる。また、組立て材料一式をキット化すれば、折畳椅子を一般家庭で簡単に組み立てることができる。
【図面の簡単な説明】
【０００８】
【図１】図１は、本実施形態の折畳椅子及びそのキットを構成する部品を一例として示す図である。
【図２】図２は、本実施形態の折畳椅子又は組立てた折畳椅子キットを閉じた場合の正面図である。
【図３】図３は、折畳椅子を閉じた場合の側面図である。
【図４】図４は、折畳椅子を開いた場合の側面図である。
【考案を実施するための形態】
【０００９】
以下に本考案の折畳椅子及びそのキットが適用される実施形態について、図に基づいて説明する。
図１は、本実施形態の折畳椅子及びそのキットを構成する部品を一例として示す図であり、図１（ア）は第１部材の側面図、図１（イ）は第２部材の側面図、図１（ウ）は第３部材の側面図、図１（エ）は第４部材、図１（オ）は第５部材、図１（カ）は長尺ボルト、図１（キ）はクリップナットの側面図及び平面図である。
図１（ア）から図１（キ）に示すように、本実施形態の折畳椅子１０を構成する主要部品は、前方脚部を構成する第１部材１、後方脚部を構成する第２部材２、腰かけ部を構成する第３部材３、及び前方脚部の上部側に架け渡されて背もたれ部を構成する第４部材４からなる。
また、主要部品以外の構成部品は、折畳椅子１０を開脚した場合と閉脚した場合とに応じて、回動させた第３部材３それぞれを第一部材１に固定する第５部材（本考案の「かんぬき」に相当する。以下同じ。）５と、第３部材３を第２部材２に回動自在に固定する長尺ボルト６及びクリップナット７と、第一部材１及び第２部材２を回動自在に固定する短尺ボルト及び埋込ナットと、からなる。なお、短尺ボルと埋込ナットについては、市販された一般的に使用部品であることから図は省略する。
本実施形態の折畳椅子１０のキットは、第一部材１を２本、第２部材２を２本、第３部材３を６本、第４部材４を２本、第５部材５を１本、長尺ボルト６を１本、短尺ボルトを２本、クリップナット７を２個、埋込ナットを２個具備している。
【００１０】
主要部品は、いずれも断面が４５×４５ｍｍの木材（例えば垂木）を切断して加工したものである。
主要部品以外の構成部品のうち、第５部材５は、椅子の横幅に等しいか、あるいは僅かに長い木材を直径１０ｍｍ乃至１５ｍｍに切削加工した丸棒であるが、長尺ボルト６やクリップナット７、短尺ボルトや埋込ナットは、いずれも市販の金属部品である。
図１（ア）に示す第１部材１は、他の主要部品よりも長尺で、前方脚部１０Aを構成する。上部側の端寄りには、２本の第４部材４をねじ止めする２つのねじ孔１ａ，１ｂがある。そして、そのねじ孔１ａ，１ｂよりも下部側には、第５部材５を差し込む第１孔５Ａと第２孔５Ｂがある。また、第１孔５Ａと第２孔５Ｂとの間には、短尺ボルトを挿入して第２部材２を回動自在に螺合するボルト孔１ｃがある。
図１（イ）に示す第２部材２は、後方脚部１０Bを構成する。上部側の端寄りに、第1部材１のボルト孔１ｃから挿入される短尺ボルトに螺合する埋込ナット用の穴２ａがあり、その穴２ａよりも中央寄りに、長尺ボルト６を挿入し、第３部材３を回動自在に螺合する長尺ボルト孔２ｂがある。
図１（ウ）に示す第３部材３は、腰かけ部１０Cを構成する。一方の端寄りに、第２部材２の長尺ボルト孔２ｂから挿入される長尺ボルト６を回動自在に螺合する長尺ボルト孔３ａがあり、他方の端寄り及び中央寄りに、第５部材５を差し込む第３孔５Ｃと第４孔５Ｄとがある。
図１（エ）に示す第４部材４は、背もたれ部１０Dを構成する。椅子の横幅よりやや短い部材で、一対の第1部材１それぞれの上部側相互間に掛け渡されてねじ止めされる。
図１（オ）に示す第５部材５は、かんぬきとなる丸棒体である。第１部材１の第１孔５Ａ又は第２孔５Ｂ、第３部材３の第３孔５Ｃ又は第４孔５Ｄに差し込まれるので、棒径は、それらの孔径よりも僅かに小さくなっており、長さは、椅子の横幅に等しいか、それよりも僅かに長くなっている。折畳椅子１０を開脚して使用する場合は、第５部材５を第２孔５Ｂ及び第３孔５Ｃに差し込み、閉脚して折り畳む場合は、第２孔５Ｂ及び第３孔５Ｃから引き抜いて、第１孔５Ａ及び第４孔５Ｄに差し込む。
図１（カ）に示す長尺ボルト６は、両側にねじ山があり、第３部材３それぞれの長尺ボルト孔３ａと第２部材それぞれの長尺ボルト孔２ｂに挿入される。
図１（ク）に示すクリップナット７は、ナットが板バネ上に形成されたもので、長尺ボルト６両側のねじ山にそのナットを螺合し、第２部材２に第３部材３を回動自在に固定する。
また、短尺ボルトは、一端にねじ山、他端にねじ付頭部がある六角ボルトであり、第２部材２の穴２ａに埋め込まれた埋込ナットにそのねじ山を螺合させ、第２部材２を第１部材１に回動自在に固定する。
【００１１】
ここで、本実施形態の折畳椅子１０及びそのキットの主要部品は、断面が４５×４５ｍｍの木材を切断し、加工したものを用いているが、各部材表面をサンドペーパで研磨し、好みの色のペンキ又はニスを塗布した後に使用しても、白木のまま使用してもよいし、当初から着色したものをキット化してもよい。また各部材の寸法は、断面が必ずしも４５×４５ｍｍに限定する必要はない。さらに、各部材は、木材に限らず、例えば樹脂木材であってもよい。
また、第３部材３は６本で構成され、それらを分離自在に重ね合わせて使用しているが、重ね合わせた面に接着剤を塗り、貼り合わせてもよい。さらに、本数は、必ずしも６本に限定する必要はなく、椅子の大きさに応じて任意に加減することができる。
また、第４部材４は２本で構成されているが、必ずしも２本に限定する必要はなく、１本でもよいし、第３部材３をかんぬきで固定するスペースが確保できれば、３本以上にしてもよい。
また、主要部品以外の構成部品のうち、第５部材５は、必ずしも木製である必要はなく、強化プラスチック、あるいは金属製の丸棒でもよい。さらに、長尺ボルトに螺合させるのは、クリップナット７に限定する必要はなく、蝶ナットであってもよい。また、短尺ボルトに螺合させるのは、埋込ナットである必要はなく、第２部材２の穴２aを貫通孔にすることが可能であれば、クリップナットや蝶ナットあるいは通常の六角ナットを用いてもよい。さらに、強度が確保できれば金属製の長尺ボルトとナット、あるいは短尺ボルトとナットそれぞれを木材、樹脂木材、強化プラスチックなどの棒状体と係止部材で構成してもよい。
【００１２】
図２、〜図４は、本実施形態の折畳椅子又は組立てた折畳椅子キットを示す図であり、図２は、折畳椅子を閉じた場合の正面図、図３は折畳椅子を閉じた場合の側面図、図４は、折畳椅子を開いた場合の側面図である。
図２に示すように、閉じた場合の折畳椅子１０は、２本の第1部材１からなる前方脚部１０Aと、第1部材１それぞれの上部に掛け渡された２本の第４部材４からなる背もたれ部１０Dと、第1部材１それぞれに螺合されて回動自在な２本の第２部材２からなる後方脚部１０Bと、第２部材２それぞれに後部が螺合され、前部を上方に回動させて固定した６本の第３部材３からなる腰掛け部１０Cと、を備えている。そして、前方脚部１０Aと後方脚部１０Bとは、図に現れない短尺ボルトと埋込ナットで回動自在に固定され、背もたれ部１０Dは、前方脚部１０Aにビス止めされている。また、腰掛け部１０Cは、後方脚部１０Bに図に現れない長尺ボルトで後部が回動自在に固定され、前部は、上方に回動させて第５部材５で前方脚部１０Aに固定されている。
【００１３】
図３に示すように、閉じた場合の前方脚部１０Aの側面には、背もたれ部１０Bをビス止めする２カ所のねじ孔１ａ，１ｂと、後方脚部１０Cを回動自在に螺合する短尺ボルトが挿入される短尺ボルト孔１ｃと、短尺ボルト孔１ｃを挟んでその上下に、第５部材５が差し込まれる第１孔５Aと、第２孔５Bとがある。
この状態から折畳椅子１０を開脚する場合には、前方脚部１０Aの第１孔５A及び腰掛け部１０Cの第５孔５Dから第５部材５を引き抜き、腰掛け部１０Cを回動して、前方脚部１０Aの第２孔５B及び腰掛け部１０Cの第４孔５Cに第５部材５を差し込み、腰掛け部１０Cを水平に保持する。
【００１４】
図４に示すように、開脚した折畳椅子１０は、前方脚部１０Aの第２孔５B及び腰掛け部１０Cの第４孔５Cに第５部材５を差し込み、腰掛け部１０Cを水平に保持している。そのとき、ボルト孔１ｃに挿入された短尺ボルトで軸支された前方脚部１０Aと後方脚部１０Bは、角度５０度乃至６０度をなし、腰掛け部１０Cは、中央部の第３孔５Cに差し込まれた第５部材５と、後方脚部１０Bの長尺ボルト孔２ｂから挿入された長尺ボルト６とにより水平に保持される。その結果、腰かけ部１０Cに重力が加わり、前方脚部１０A及び背もたれ部１０Dに力が加わっても前方脚部１０Aと後方脚部１０Bの反力が作用して折畳椅子１０は倒れない。
本実施形態の折畳椅子及び折畳椅子キットによれば、主要部品は、長尺ボルト６とクリップナット、あるいは短尺ボルトと埋込ナットで軸支される一方、腰かけ部１０Cは、第５部材を抜き差しする貫通孔を変えるだけで開脚したり、閉脚することが簡単にできるので、ヒンジ等の部品が不要となり、さらに組立てのみならず分解も容易に行うことができる。
【産業上の利用可能性】
【００１５】
間伐材の使用により、エコロジーに寄与するほか、組立てや分解が簡単にできるので、行楽やイベント会場等で使用する簡便な椅子としても活用することができる。
【符号の説明】
【００１６】
１    第１部材
１ａ  ，１ｂ  ねじ孔
１ｃ  短尺ボルト孔
２    第２部材
２ａ  埋込みボルト用の穴
３    第３部材
３ａ  長尺ボルト
４  第４部材
５  第５部材
５Ａ  第１孔
５Ｂ  第２孔
５Ｃ  第３孔
５Ｄ  第４孔
６  長尺ボルト
７  クリップナット
１０  折畳椅子
１０Ａ  前方脚部
１０Ｂ  後方脚部
１０Ｃ  腰掛け部
１０Ｄ  背もたれ部
【図１】
0003193251.tif 000003
【図２】
0003193251.tif 000004
【図３】
0003193251.tif 000005
【図４】
0003193251.tif 000006
【手続補正書】
【提出日】平成26年7月28日(2014.7.28)
【手続補正１】
【補正対象書類名】実用新案登録請求の範囲
【補正対象項目名】請求項６
【補正方法】変更
【補正の内容】
【請求項６】
組立てた前記第１部材それぞれの上部側の端寄り相互間にビス止めして固定する少なくとも１本の第４部材を備えたことを特徴とする請求項５記載の折畳椅子キット。